(57)【特許請求の範囲】
【請求項１】
経糸２と搦経糸１を並列配置した地経糸３と地緯糸４により波形の地組織５を針組織による畦彫りにて密に形成すると共にその他の部分を棒刀により粗に形成し、搦経糸１を４越以上浮かせて同口に４０デニール以上の別地緯６を４越以上打ち込み、これを搦経糸１にて閉じる工程を所要間隔にて繰り返すことにより、別地緯６を前記畦彫りによる波形の地組織５に応じたランダムで立体的なうねり状に形成したことを特徴とする立体うねり紋様織物の織成方法。
【請求項２】
経糸２と搦経糸１を並列配置した地経糸３と地緯糸４により波形の地組織５を針組織による畦彫りにて密に形成すると共にその他の部分を棒刀により粗に形成し、搦経糸１を４越以上部分的または全幅にわたって浮かせ、同口に金・銀糸、装飾糸等の絵緯糸７を１越ずつ打ち込み、これを搦経糸１により閉じる工程を繰り返すことにより、絵緯糸７を前記畦彫りによる波形の地組織５に応じたランダムなうねり状に形成したことを特徴とする立体うねり紋様織物の織成方法。
【請求項３】
経糸２と搦経糸１を並列配置した地経糸３と地緯糸４により波形の地組織５を針組織による畦彫りにて密に形成すると共にその他の部分を棒刀により粗に形成し、搦経糸１を４越以上部分的または全幅にわたって浮かせ、同口に金・銀糸、装飾糸等の絵緯糸７を１越ずつ打ち込み、これを搦経糸１により閉じると共に別の箇所でも搦経糸１を４越以上部分的に浮かせて同口に金・銀糸、装飾糸等の絵緯糸７を４越以上打ち込み、これを搦経糸１により閉じる工程を所要間隔にて繰り返すことにより、絵緯糸７を前記畦彫りによる波形の地組織５に応じたランダムで立体的なうねり状に形成することを特徴とする立体うねり紋様織物の織成方法。
【請求項４】
経糸２と搦経糸１を並列配置した地経糸３と地緯糸４により波形の地組織５を針組織による畦彫りにて密に形成すると共にその他の部分を棒刀により粗に形成し、搦経糸１を４越以上部分的または全幅にわたって浮かせ、同口に金・銀糸、装飾糸等の絵緯糸７を１越ずつ打ち込み、これを搦経糸１により閉じると共に別の箇所でも搦経糸１を４越以上部分的に浮かせて同口に金・銀糸、装飾糸等の絵緯糸７を少なくとも２越ずつ８回打ち込み、これを搦経糸１により閉じる工程を所要間隔にて繰り返すことにより、絵緯糸７を前記畦彫りによる波形の地組織５に応じたランダムで立体的なうねり状に形成することを特徴とする立体うねり紋様織物の織成方法。
【発明の詳細な説明】
【０００１】
【発明の属する技術分野】
本発明は、立体感を有するうねり紋様織物の織成方法に関するもので、地組織を畦彫りにて波形に形成することにより、うねり紋様を形成する別地緯や絵緯糸の露出形態に新規な工夫をこらしたものである。
【０００２】
【従来の技術】
周知の通り、各種の紋織物において、地組織は平地、錦地、朱子裏地等が一般的であるが、これらは平坦でかつ規則正しいものであり、本発明者が知る限り、地組織が立体的な紋織物はこれまで無かった。
【０００３】
その理由は、従来の紋織物においては、紋織部分の美しさを生かすため地組織（紋織部分以外の無地の部分）は平坦な形態に形成するのが常識で、地組織に立体感のある図柄を形成するという考えは思いもよらないことであったためである。
【０００４】
【発明が解決しようとする課題】
紋織物における地組織の変化は、胴緯によるものや別地緯による細かい紋様によるもの等によって得られているが、これらの組織においては別の地緯糸をさらに１越必要とし、手間がかかって高価になるにもかかわらず、その効果はあまり評価されるものではなかった。
【０００５】
本発明は、地組織自体に立体的な地紋様を形成することにより、従来にない雅趣に富んだ織物を得ることを技術的課題とするものである。
【０００６】
【課題を解決するための手段】
前記技術的課題は、次の通りの本発明によって達成できる。
【０００７】
すなわち、本発明者は、波形の地組織を針組織による畦彫りにて密に形成し、搦経糸を４越以上浮かせて同口に別地緯を４越以上打ち込むことを基本的な手段として採用することにより従来のように細くて平らなうねりではなく、別地緯による比較的大きい立体的なうねり紋様を地組織として製織することに成功したものである。
【０００８】
本発明の第１は、経糸２と搦経糸１を並列配置した地経糸３と地緯糸４により波形の地組織５を針組織による畦彫りにて密に形成すると共にその他の部分を棒刀により粗に形成し、搦経糸１を４越以上浮かせて同口に４０デニール以上の別地緯６を４越以上打ち込み、これを搦経糸１にて閉じる工程を所要間隔にて繰り返すことにより、別地緯６を前記畦彫りによる波形の地組織５に応じたランダムで立体的なうねり状に形成したことを特徴とする立体うねり紋様織物の織成方法である。
【０００９】
また、本発明の第２は、経糸２と搦経糸１を並列配置した地経糸３と地緯糸４により波形の地組織５を針組織による畦彫りにて密に形成すると共にその他の部分を棒刀により粗に形成し、搦経糸１を４越以上部分的または全幅にわたって浮かせ、同口に金・銀糸、装飾糸等の絵緯糸７を１越ずつ打ち込み、これを搦経糸１により閉じる工程を繰り返すことにより、絵緯糸７を前記畦彫りによる波形の地組織５に応じたランダムなうねり状に形成したことを特徴とする立体うねり紋様織物の織成方法である。
【００１０】
また、本発明の第３は、経糸２と搦経糸１を並列配置した地経糸３と地緯糸４により波形の地組織５を針組織による畦彫りにて密に形成すると共にその他の部分を棒刀により粗に形成し、搦経糸１を４越以上部分的または全幅にわたって浮かせ、同口に金・銀糸、装飾糸等の絵緯糸７を１越ずつ打ち込み、これを搦経糸１により閉じると共に別の箇所でも搦経糸１を４越以上部分的に浮かせて同口に金・銀糸、装飾糸等の絵緯糸７を４越以上打ち込み、これを搦経糸１により閉じる工程を所要間隔にて繰り返すことにより、絵緯糸７を前記畦彫りによる波形の地組織５に応じたランダムで立体的なうねり状に形成することを特徴とする立体うねり紋様織物の織成方法である。
【００１１】
また、本発明の第４は、経糸２と搦経糸１を並列配置した地経糸３と地緯糸４により波形の地組織５を針組織による畦彫りにて密に形成すると共にその他の部分を棒刀により粗に形成し、搦経糸１を４越以上部分的または全幅にわたって浮かせ、同口に金・銀糸、装飾糸等の絵緯糸７を１越ずつ打ち込み、これを搦経糸１により閉じると共に別の箇所でも搦経糸１を４越以上部分的に浮かせて同口に金・銀糸、装飾糸等の絵緯糸７を少なくとも２越ずつ８回打ち込み、これを搦経糸１により閉じる工程を所要間隔にて繰り返すことにより、絵緯糸７を前記畦彫りによる波形の地組織５に応じたランダムで立体的なうねり状に形成することを特徴とする立体うねり紋様織物の織成方法である。
【００１２】
なお、本発明における「針組織による畦彫り」とは、全地経糸（２４００本）を４本ずつ把釣って６００本の竪針に吊り、これをジャカード織機の紋針によって上下させることによって地経糸と地緯糸とを畦（平織組織）に組む織技法であり、「棒刀」とは、前記紋針の上下運動とは関係なく、経糸を組織するため別の竪針に吊り込み、経糸１本単位で所望の組織をつくるものである。
【００１３】
【発明の実施の形態】
以下、本発明に係る立体うねり紋様織物の織成方法の実施形態を図に基づき説明する。
【００１４】
実施の形態：１
図１は、本発明に係る立体うねり紋様織物の織成過程における織組織の一形態を示す部分拡大平面図で、１は搦経糸（黒色絹糸：２１／４双）、２は経糸（黒色絹糸：２１／４双）を示し、この搦経糸１と経糸２を２４００本整経して４本バツリ（把釣）とした針組織（針数６００本）により地経糸３が構成されている。
【００１５】
４は地緯糸（黒色絹糸：２１／４双）で、この地緯糸４と前記地経糸３により波形の地組織５が針組織にて畦に形成されている。
【００１６】
従って、ジャカード織機にて紋織物を織ると図１に示すように、地緯糸４が横長状に表れる部分は密な組織となり、その他の部分は粗な組織となって、畦彫りによる地緯糸４は順次地経糸３を跨ぐ形で幅方向に波を打つように位置し、搦経糸１と経糸２が浮いた波形の地組織５の繰り返しとなる。
【００１７】
この針組織による波形の地組織５は、８越毎に繰り返し形成されている。
【００１８】
６は別地緯（黒色絹糸：２１／４双４本合せ）で、前記地経糸３と地緯糸４により形成された針組織による波形の地組織５内に、搦経糸１を５越浮かせて同口に５越打ち込まれた状態のものである。
【００１９】
前記波形の地組織５の中に別地緯６を常法により紋図に従って波紋様の図柄を形成すると、波紋様の地緯糸４が束組織されて地緯糸４が４本出るので別地緯６の露出度が少なくなり、束組織されていない部分の別地緯６は露出度が大きなものとなる。
【００２０】
すなわち、図１の状態で搦経糸１を閉じると、畦彫りによる地組織５のうち波形の部分は搦経糸１が浮かないため密に形成され、その他の部分は棒刀により粗に形成されているため、５越の束状の別地緯６は、密な波形の部分（横長状に表れている地緯糸４の部分）をガイドとして下方に寄せられ、搦経糸１に余裕のある部分は平面から見て波の幅が広くて波高が低く、搦経糸１に余裕のない部分は同じく波の幅が狭くて波高が高い状態の立体感のあるものとなる。
【００２１】
この別地緯６は５越毎に打ち込まれるため、８越毎に繰り返し形成されている地組織５の針組織による波形とは互いに接近したり離れたりして、各別地緯６による波形は図３、図４に示すように一定区間ランダムで立体的なうねり状に形成される。
【００２２】
前記別地緯６による同一うねりの波の周期は、地組織５の８越毎の波形と、別地緯６の打ち込み間隔である５越毎との最小公倍数である４０越毎になるが、地組織５が４本バツリによる６００本の針組織のため全幅にわたって同じ紋上げがなく、従って、織物全面にわたってランダムな波形の地組織を呈することになる。
【００２３】
なお、前記実施の形態においては、針組織による波形の地組織５は８越毎に繰り返し形成され、別地緯６は５越毎に打ち込まれている例を挙げたが、これらの打ち込み間隔を何越毎に繰り返すかは任意に設定できるものであり、また、別地緯６の打ち込み越数や搦経糸１、経糸２、地緯糸４、別地緯６等の種類についても前記のものに限定されるものではない。
【００２４】
また、地経糸３についても、３６００本整経した場合には通常６本バツリとなり、その他特殊な場合には２本バツリ、３本バツリ、５本バツリ等も使用することもある。
【００２５】
実施の形態：２
前記実施の形態１と同じ地組織５の一部に、搦経糸１を５越部分的に浮かせて同口に絵緯糸７（１掛銀糸１本と白絹糸２本）を１越ずつ打ち込み、これを搦経糸１により閉じる工程を所要間隔にて繰り返すことにより、絵緯糸７の部分を前記畦彫りによる波形の地組織５に応じたランダムでやや立体的なうねり状に形成した紋様織物が得られる。（図５参照）
【００２６】
実施の形態：３
また、前記実施の形態２の紋様織物の一部に、搦経糸１を５越部分的に浮かせて同口に絵緯糸７（１掛金糸３本）を５越打ち込み、これを搦経糸１により閉じる工程を所要間隔にて繰り返すことにより、これら絵緯糸７の部分においては前記実施の形態１における別地緯６とほぼ同様なランダムで立体的なうねり状を呈するのでさらに豪華な紋様織物が得られる。（図６参照）
【００２７】
実施の形態：４
また、前記実施の形態２の紋様織物の一部に搦経糸１を５越部分的に浮かせて同口に絵緯糸７（１掛金糸）を２越ずつ８回打ち込み、これを搦経糸１により閉じる工程を所要間隔にて繰り返すことにより、これら絵緯糸７の部分においては前記実施の形態１における別地緯６とほぼ同様なランダムで、前記実施の形態３における立体的なうねり状紋様より少し低いが立体的なうねり状を呈するのでさらに豪華な紋様織物が得られる。（図７参照）
【００２８】
なお、前記実施の形態２〜実施の形態４における絵地緯７は実施の形態１の別地緯６による立体うねり紋様織物の上部に設けてもよい。
【００２９】
本発明に係る立体うねり紋様織物は、ジャカード織機の他、手機は勿論各種の織機にて織成することができる。
【００３０】
【作用】
前記実施の形態１および実施の形態２における立体うねり紋様織物においては、別地緯や絵緯糸による各うねりが織物全般にわたってランダムな状態を呈しているが、これは、畦彫りによる波形部分の邪魔だてにより地組織５に別地緯や絵緯糸が直線的に打ち込まれず、波形に沿ったものとなるためである。
【００３１】
また、前記うねりがランダムな状態となるのは、理屈としては４０越毎に同一のうねりが繰り返されるといってもその間に７本もの同様なうねりが存在しており、また、別地緯や絵緯糸が束状の繊維による形態の不安定なことと、これらが余裕をもった搦経糸において閉じられていることとの相乗作用により、二つとして同一のうねりがないランダムな状態を呈するものと思われる。
【００３２】
また、実施の形態３および実施の形態４における立体うねり紋様織物においても、絵緯糸による立体状のうねりの形態は同様にランダムなものとなる。
【００３３】
【発明の効果】
本発明においては、新規な装置や特殊な部材は何ら必要とせず、一般に広く用いられているジャカード織機をはじめその他汎用の織機を使用することにより比較的大きな立体状のランダムなうねり紋様を有する地組織が織成できる。
【００３４】
そして、４越以上の絵緯糸を紋様として設けたものにおいては、この絵緯糸による紋様がすくい調子の豪華なものに見え、帯に適した紋様織物として商品価値が高いものとなる。
【図面の簡単な説明】
【図１】本発明に係る紋様織物の織組織を示す部分拡大平面図。
【図２】本発明に係る紋様織物の織組織を示す部分拡大側面図。
【図３】本発明に係る紋様織物の織組織を示す部分拡大正面図。
【図４】本発明に係る紋様織物の一部を詳細に示した部分拡大平面図。
【図５】本発明に係る紋様織物の他例の織組織を示す部分拡大側面図。
【図６】本発明に係る紋様織物の他例の織組織を示す部分拡大側面図。
【図７】本発明に係る紋様織物の他例の織組織を示す部分拡大側面図。
【符号の説明】
１  搦経糸
２  経糸
３  地経糸
４  地地緯
５  地組織
６  別地緯
７  絵緯糸
【図１】
0003766964.tif 000002
【図２】
0003766964.tif 000003
【図３】
0003766964.tif 000004
【図４】
0003766964.tif 000005
【図５】
0003766964.tif 000006
【図６】
0003766964.tif 000007
【図７】
0003766964.tif 000008